(57)【特許請求の範囲】
【請求項１】
ベース上を仕切板により熱交換室と機械室とに区画し、前記熱交換室に熱交換器及び送風ファンを配設し、前記機械室に圧縮機を配置するとともに、同圧縮機の上方に、電装基板を備えた電装ユニットを配置してなる空気調和機の室外機において、
前記電装ユニットが、前記電装基板を装着したシャーシーと、同シャーシーの下端に備えられた端子台ホルダと、側面基板を装着した側面板とを有し、前記端子台ホルダが、前記シャーシーから後方に傾斜した上面部と、同上面部の下端を前方に折曲させて傾斜面を形成した載置部と、同載置部から水平状に延出された水平部と、同水平部から傾斜して延出された延出部と、前記上面部と前記載置部の両側を繋ぐ右側板及び左側板とで構成されていることを特徴とする空気調和機の室外機。
【請求項２】
前記右側板と前記左側板とは、前縁を側方に折曲した右側フランジと端子台接合片とを夫々形成し、これら右側フランジと端子台接合片とは、前記上面部と前記載置部の折曲部を含む上下方向の範囲で、前記シャーシーと平行な面となるように形成されていることを特徴とする請求項１に記載の空気調和機の室外機。
【発明の詳細な説明】
【技術分野】
【０００１】
本発明は、空気調和機の室外機に関わり、より詳細には電装ユニットの構成に関するものである。
【背景技術】
【０００２】
複数の室内機が接続される多室型の室外機等では、制御の複雑化に対応できるよう電装ユニットの電装基板に搭載される電装部品数が増加してきており、これに対処する為、電装基板が大型化するとともに、板金材からなる基板ホルダの表面側と裏面側にも電装基板を装着するようになってきている。
【０００３】
電装ユニットを構成する、電装基板を装着した基板ホルダの下部には、電装基板へ電源を供給する電源線、電装基板から各機器に電源を供給する電源線あるいは各機器への信号線等を中継する端子台を固定した端子台ホルダが設けられているが、電装基板及びこれを装着した基板ホルダの大型化に伴い、端子台ホルダも更に下方に位置するようになっている。この為、電装ユニットの側面に設けられた側面基板を保持するフレームの下端と端子台ホルダの下端とで上下方向に位置ズレが生じるようになっている。
【０００４】
従来の電装ユニットにおいては、側面基板を保持するフレームの下端位置と端子台ホルダの下端位置とが上下方向において、ほぼ同一であった為、メンテナンス作業時等に電装ユニットを室外機本体から外した際、フレームの下端と、端子台ホルダの下端を脚にして、電装ユニットを例えば作業台の上に単独で立った状態で置くことができた。しかし、フレームの下端位置と端子台ホルダの下端位置とに上下方向の位置ズレが生じると、電装ユニットを作業台の上に立った状態で置くことができなくなる。
【０００５】
電装ユニットを単独で立てた状態で置くことができない場合は、治具あるいは支持台を用いて電装ユニットを立った状態で置けるようにする必要があり、治具あるいは支持台の製造コストが掛かる一方、作業台の限られたスペースに置ける電装ユニットの台数にも制約が生じる。
【０００６】
上記した問題に対処する為、例えば図１０で示す電装ユニット４０は、電装基板４４及び電装基板４５を装着した基板ホルダ４１の下部を折曲部４１ｃにより折曲し、端子台４７を傾斜面となった端子台取付部４１ａに配置しており、側面基板４６を支持するフレーム４２と基板ホルダ４１の底面位置をほぼ等しくするとともに、端子台取付部４１ａに脚部としての側面フランジ４１ｂを形成している。これにより室外機の組立ラインで複数の電装ユニット４０を組立部品として作業台の上に置く際や、あるいはメンテナンス作業時に電装ユニット４０を室外機本体から外した際、電装ユニット４０を単独で立った状態で置けるようにしている（特許文献１参照）。
【０００７】
しかしながら、端子台４７を固定する端子台取付部４１ａは、基板ホルダ４１を構成する板金下部を単に前方に折曲して形成しているだけで折曲部への補強部材が無い為、電装ユニット４０を立てた状態で作業台の上に置こうとすると、荷重により端子台取付部４１ａあるいは折曲部に変形が生じ、電装ユニット４０が倒れてしまうというような虞があった。
【先行技術文献】
【特許文献】
【０００８】
【特許文献１】再公表特許    ＷＯ２００７／１０８４４７（４頁、図５）
【発明の概要】
【発明が解決しようとする課題】
【０００９】
本発明は、上記問題点に鑑み、電装ユニットを、側面基板のフレーム下端と、端子台ホルダの下端を脚にして、作業台等の上に単独で立った状態で置いても、端子台ホルダに荷重による変形、歪み等を生じさせず、作業台等上に安定して置くことのできる電装ユニットを備えた空気調和機の室外機を提供することを目的とする。
【課題を解決するための手段】
【００１０】
本発明は、上記課題を解決するため、  ベース上を仕切板により熱交換室と機械室とに区画し、前記熱交換室に熱交換器及び送風ファンを配設し、前記機械室に圧縮機を配置するとともに、同圧縮機の上方に、電装基板を備えた電装ユニットを配置してなる空気調和機の室外機において、
前記電装ユニットが、前記電装基板を装着したシャーシーと、同シャーシーの下端に備えられた端子台ホルダと、側面基板を装着した側面板とを有し、前記端子台ホルダが、前記シャーシーから後方に傾斜した上面部と、同上面部の下端を前方に折曲させて傾斜面を形成した載置部と、同載置部から水平状に延出された水平部と、同水平部から傾斜して延出された延出部と、前記上面部と前記載置部の両側を繋ぐ右側板及び左側板とで構成されている構成となっている。
【００１１】
また、前記右側板と前記左側板とは、前縁を側方に折曲した左側フランジと端子台接合片とを夫々形成し、これら左側フランジと端子台接合片とは、前記上面部と前記載置部の折曲部を含む上下方向の範囲で、前記シャーシーと平行な面となるように形成されている
構成となっている。
【発明の効果】
【００１２】
本発明によれば、端子台ホルダは上面部と載置部の両側を繋ぐように右側板及び左側板とを設けていることにより、上面部と載置部の折曲部強度が補強され、電装ユニットを単独で立った状態で置いても、端子台ホルダに変形が生じる等の不具合が発生することを防止できるようになっている。
【００１３】
また、左側フランジと端子台接合片は、上面部と載置部の折曲部を含む上下方向の範囲で、前記シャーシーと平行な面となるように形成されていることにより、上面部と載置部の折曲部が更に補強されるようになっている。
【図面の簡単な説明】
【００１４】
【図１】本発明による空気調和機の室外機を示す外観斜視図である。
【図２】本発明による空気調和機の室外機の分解斜視図である。
【図３】本発明による空気調和機の室外機に備えられた電装ユニットを示す斜視図である。
【図４】電装ユニットに備えられたメイン基板部の分解斜視図である。
【図５】電装ユニットに設けられた端子台ホルダを示す斜視図である。
【図６】端子台ホルダの取付を示す斜視図である。
【図７】電装ユニットが単独で立設した状態を示す斜視図である。
【図８】従来の折曲部との相違を示す説明図である。
【図９】電装ユニットの要部断面図である。
【図１０】従来の空気調和機の室外機に設けられた電装ユニットを示す外観斜視図である。
【発明を実施するための形態】
【００１５】
以下、本発明の実施の形態を、添付図面に基づいた実施例として詳細に説明する。
【実施例１】
【００１６】
本発明による空気調和機の室外機は、図１の外観斜視図で示すように、下面に一対の脚体１ａを備えたベース１と、同ベース１の前面側に立設されて、ファンガード３ａを備えた上部吹出口２ａを設けるとともに、ファンガード３ｂを備えた下部吹出口２ｂを設けた前面パネル２と、ベース１において後述する機械室１１側に立設される側面パネルとしての右側パネル５と、ベース１の後述する熱交換室１２側に立設される側面パネルとしての図示しない左側パネルと、これら前面パネル２と、右側パネル５と、左側パネルとの上面に被着され、補強用のビード４ａを形成した天板４と、前面パネル２の右側に位置するとともに、手掛６ａを備え着脱自在に装着されたサービスパネル６とで本体を構成しており、サービスパネル６の下方には前部配管カバー７が、右側パネル５の下方には側部配管カバー８が夫々着脱自在に装着されている。
【００１７】
次に、本体の内部構成について説明する。図２の分解斜視図で示すように、板金からなるベース１上は、前後に延びる仕切板１０により左右に区画され、区画された一方に機械室１１が、区画された他方に熱交換室１２が夫々、形成されている。機械室１１の前方には冷媒の圧縮を行う圧縮機１３及び配管に接続された操作弁ユニット１８が配設されるとともに、後方には圧縮機１３に接続される図示しないアキュームレータが配設されている。また、機械室１１の上方には、電源基板、複数の制御基板等を備えた電装ユニット１９が配設されている。
【００１８】
仕切板１０により区画された熱交換室１２の背面側には、平行に並べられた多数のフィンと、同フィンに直交するように配設された伝熱管とからなり、Ｌ字状に折曲された室外熱交換器１４が設けられている。また、同室外熱交換器１４の前面には送風ファン取付台１５が立設されており、同送風ファン取付台１５には、図示しない上部ファンモータと、同上部ファンモータに軸支された上部プロペラファン１６と、図示しない下部ファンモータと、同下部ファンモータに軸支された下部プロペラファン１７とが支持されている。
【００１９】
熱交換室１２の前面には、円形状の上部吹出口２ａと下部吹出口２ｂとを形成した前面パネル２が装着され、上部吹出口２ａと下部吹出口２ｂの裏面には、上部プロペラファン１６と下部プロペラファン１７とを覆う、図示しない円環状のファンリングが形成されている。
【００２０】
上部ファンモータ及び下部ファンモータにより、上部プロペラファン１６と下部プロペラファン１７とが駆動されると、屋外の空気は本体の背面から吸入され、室外熱交換器１４を通過することにより同室外熱交換器１４内を流れる冷媒と熱交換する。熱交換された空気は、上部吹出口２ａ及び下部吹出口２ｂから屋外に排出され、熱交換器１４の伝熱管を通過して空気流と熱交換した冷媒は配管を介して、図示しない室内機との間で循環し、室内の空調を行うようになっている。
【００２１】
次に、電装ユニット１９について説明する。機械室１１と熱交換室１２を区画する上記した仕切板１０には、図３で示すように、側面板２５が螺着され、同側面板２５の前縁には縦長状に形成された断面コ字状のシャーシーホルダ２６が取付けられている。
【００２２】
電装ユニット１９は、後述するシャーシー２０に形成された係止爪２０ｄを電装ユニットホルダ２６に係止させて前面側を支持される一方、側面板２５に一端を固定され、他端をシャーシー２０の裏面に固定された断面コ字状のステー３４により後面側を支持されるようになっている。
また、シャーシー２０の下端には、端子台ホルダ２２が接合されており、同端子台ホルダ２２には、上記した圧縮機１３、上部ファンモータ及び下部ファンモータ等と繋がる後述する外部配線３５を接続した端子台２７が固定されている。尚、上記したステー３４は電装ユニット１９を仕切板１０から外した際、電装ユニット１９を持ち運ぶ把手の機能も併せて有している。
【００２３】
次に、電装ユニットを構成するメイン基板部１９ａについて説明する。図４の分解斜視図で示すように、シャーシー２０は、第一メイン基板２３を前面側に、第二メイン基板２４を後面側にスペーサ等を介して装着する主板部２０ａと、同主板部２０ａの左側を前方に向かい折曲された側板部２０ｂとからなり、同側板部２０ｂの前縁は更に側方に折曲されて左側フランジ２０ｃが形成されている。また、主板部２０ａの右側には前方に向けＬ字状に形成された右側フランジ２０ｅが設けられている。
【００２４】
左側フランジ２０ｃの上下には係止爪２０ｄが側方に向け突設されるとともに、中央部には螺子孔が穿設されており、シャーシー２０は上下の係止爪２０ｄをシャーシーホルダ２６の上下に穿設されたスリットに係止させることにより、上記したシャーシーホルダ２６を介して仕切板１０に固定された側面板２５に連結されるようになっている。
【００２５】
シャーシーカバー２１は、第一メイン基板２３の前面を覆う前面板２１ａと、同前面板２１ａの右側を後方に折曲して形成された側面板２１ｂとからなり、前面板２１ａには螺子挿通孔２１ｅを穿設した突片２１ｄが形成され、側面板２１ｂの後縁は側方に折曲されて、図示しない係止孔と螺子挿通孔２１ｅとを備えた右側フランジ２１ｃが形成されている。シャーシーカバー２１の図示しない係止孔にシャーシー２０の係止爪を係止させる一方、螺子挿通孔２１ｅに夫々図示しない螺子を挿通させシャーシー２０の螺子孔に螺合させることによりシャーシーカバー２１はシャーシー２０に固定されるようになっている。
【００２６】
シャーシー２０の下端には、上記したように板金材からなる端子台ホルダ２２がスポット溶接により接合されている。同端子台ホルダ２２は、図５に示すように、端子台２７を固定する傾斜面となった載置部２２ｂを備え、後述するように複数箇所が折曲して形成されている。
【００２７】
シャーシー２０と側面板２５との間には、図示しないインバータ基板と、同インバータ基板を支持する枠体状に形成されたフレームと、インバータ基板の裏面に接合されるヒートシンク等が設けられるようになっている。
【００２８】
端子台ホルダ２２は、図５の斜視図で示すように、垂直面となった接合片２２ｆと、同接合片２２ｆの下端から後方に向けて傾斜するように折曲され、配線挿通孔２２ｇを開口した上面部２２ａと、同上面部２２ａの下端を前方に折曲し、傾斜面となった載置部２２ｂとを備え、同載置部２２ｂには端子台２７が固定されるようになっている。また、載置部２２ｂの下端は水平状に折曲されて水平部２２ｃを形成し、同水平部２２ｃは更に下方に折曲されて、図示しない配線用ファスナが取付けられる延出部２２ｄを形成している。
【００２９】
また、上面部２２ａと載置部２２ｂとの間には、これら上面部２２ａと載置部２２ｂの両側を繋ぐようにスポット溶接と折曲部により上下端を上面部２２ａと載置部２２ｂに接合された左側板２２ｈと右側板２２ｊとが設けられている。これら上面部２２ａと載置部２２ｂと左側板２２ｈと右側板２２ｊとで端子台２７が収納される凹部２２ｅが箱体状に形成されている。
【００３０】
また、左側板２２ｈの前縁は側方に折曲されて左側フランジ２２ｋが形成され、右側板２２ｊの前縁は側方に折曲されて、シャーシー２０の主板部２０ａに形成された後述するシャーシー接合片２０ｇに上端部を接合される端子台接合片２２ｍが形成されている。
【００３１】
次に、シャーシー２０と端子台ホルダ２２との接合について説明する。図６で示すように、シャーシー２０の一側の下端縁には主板部２０ａから後方に傾斜するように折曲され、端子台ホルダ２２の上面部２２ａに接するフランジ２０ｆが形成されている。また、後述するように、端子台ホルダ２２の接合片２２ｆは主板部２０ａの下端にスポット溶接により接合されるようになっている。また、シャーシー２０において右側に設けられた右側フランジ２０ｅの前縁を下方に延出して形成されたシャーシー接合片２０ｇに、端子台ホルダ２０の端子台接合片２２ｍがスポット溶接により接合されるようになっている。尚、本実施例においては、シャーシー２０と端子台ホルダ２２とがスポット溶接により接合されたものとして説明しているが、これに限定されるものではなく、シャーシー２０と端子台ホルダ２２とを一体に形成しても良い。また、これらの形状、折曲箇所あるいは溶接方法も上記した内容に限定されるものではなく、種々の変形が可能である。
【００３２】
次に、電装ユニット１９単体の状態について説明する。電装ユニット１９は、室外機の組立ライン上で組立部品として作業台等に置かれる場合、あるいは室外機のメンテナンス作業において室外機本体から外された場合において、図７で示すように、図示しない側面基板を装着した側面板２５の下端に形成された下端フランジ２５ａと、端子台ホルダ２２の延出部２２ｄを脚にして、単独で立った状態で置くことができるようになっている。
【００３３】
次に、本願における端子台ホルダ２２側の強度について説明する。図８（Ａ）は背景技術で説明したように、シャーシー４１の下部をＡ部で示す折曲部４１ｃにより、単に前方に折曲させ端子台取付部４１ａを形成した例であり、図８（Ｂ）は本願におけるシャーシー２０と端子台ホルダ２２の接合を示す説明図である。
【００３４】
本願においては、図８（Ｂ）で示すように、端子台ホルダ２２の接合片２２ｆは主板部２０ａの下端にスポット溶接により接合され、主板部２０ａから後方に傾斜するように折曲したフランジ２０ｆが上面部２２ａに接するようになっている。また、右側フランジ２０ｅの下方に延出して形成されたシャーシー接合片２０ｇに端子台ホルダ２０の端子台接合片２２ｍの上端縁がスポット溶接により接合されるようになっている。
【００３５】
端子台ホルダ２２は前述したように、接合片２２ｆと、上面部２２ａと、同上面部２２ａの下端から折曲され傾斜面となった載置部２２ｂと、同載置部２２ｂの下端から水平状に折曲された水平部２２ｃと、同水平部２２ｃから更に下方に折曲された延出部２２ｄとからなるとともに、上面部２２ａと載置部２２ｂとの間には、これら上面部２２ａと載置部２２ｂの両側を繋ぐようにスポット溶接と折曲部により上下端を接合された左側板２２ｈと右側板２２ｊとが設けられている。また、左側板２２ｈの前縁は側方に折曲されて左側フランジ２２ｋが形成され、右側板２２ｊの前縁は側方に折曲されて端子台接合片２２ｍが形成されている。
【００３６】
左側板２２ｈの前縁に形成された左側フランジ２２ｋと、右側板２２ｊの前縁に形成され主板部２０ａのシャーシー接合片２０ｇに接合される端子台接合片２２ｍとが、シャーシー２０と端子台ホルダ２２の曲げ部分の側面に主板部２０ａと平行となるように形成されることにより、図８（Ｂ）のＢ部で囲まれたシャーシー２０と端子台ホルダ２２の曲げ部分の強度を補強するようになっている。
【００３７】
シャーシー接合片２０ｇと端子台接合片２２ｍは、例えば主板部２０ａを垂直に下方に延長した位置に形成してもよいが、図８（Ｂ）で示すように、右側フランジ２０ｅにより主板部２０ａの前方に位置してシャーシー接合片２０ｇを形成し、同シャーシー接合片２０ｇに端子台接合片２２ｍを接合することにより、右側板２２ｊ及び左側板２２ｈの面積がより大きくなり、Ｂ部で示す範囲の強度が増加するようになっている。
【００３８】
また、左側フランジ２２ｋと端子台接合片２２ｍとに連続して、左側板２２ｈと右側板２２ｊ
が形成され、これら左側板２２ｈと右側板２２ｊとが折曲された上面部２２ａと載置部２２ｂの両側を繋ぐように接合されていることにより、強度が補強されるようになっている。
【００３９】
以上、説明したように、左側フランジ２２ｋと端子台接合片２２ｍとが、シャーシー２０と端子台ホルダ２２の曲げ部分の側面に主板部２０ａと平行となるように形成され、更に、左側フランジ２２ｋと端子台接合片２２ｍとに連続して、上面部２２ａと載置部２２ｂの両側を繋ぐ左側板２２ｈと右側板２２ｊとが形成されており、図８（Ａ）のＡ部で示す折曲部４１ｃのような単に折曲して形成した構造と比べて、図８（Ｂ）のＢ部で示す構造では強度が向上し、端子台ホルダ２２の延出部２２ｄを接しさせて電装ユニット１９を作業台上に置いても変形等を生じさせることなく、安定して置くことができるようになっている。
【００４０】
次に、シャーシー２０と端子台ホルダ２２の要部断面図を図９に示す。主板部２０ａには端子台ホルダ２２が接合されており、同端子台ホルダ２２は、Ａ部からＤ部で示す折曲部により折曲されて凹部２２ｅを形成し、傾斜面となった載置部２２ｂに端子台２７を固定している。端子台２７の上部から導出され配線挿通孔２２ｇを通過して第二メイン基板２４に接続される配線群２８ａは、導出部において線材の曲がりを生じることなく導出されるようになっている。これにより配線の急激な曲がりをなくして断線が発生する等の不具合を防止できるようになっている。
【符号の説明】
【００４１】
１  ベース
１ａ  脚体
２  前面パネル
２ａ  上部吹出口
２ｂ  下部吹出口
３ａ、３ｂ  ファンガード
４  天板
４ａ  ビード
５  右側パネル
６  サービスパネル
６ａ  手掛
７  前部配管カバー
８  側部配管カバー
１０  仕切板
１１  機械室
１２  熱交換室
１３  圧縮機
１４  室外熱交換器
１５  送風ファン取付台
１６  上部プロペラファン
１７  下部プロペラファン
１８  操作弁ユニット
１９  電装ユニット
２０  シャーシー
２０ａ  主板部
２０ｂ  側板部
２０ｃ  左側フランジ
２０ｄ  係止爪
２０ｅ  右側フランジ
２０ｆ  フランジ
２０ｇ  シャーシー接合片
２１  シャーシーカバー
２１ａ  前面板
２１ｂ  側面板
２１ｃ  右側フランジ
２１ｄ  突片
２１ｅ  螺子挿通孔
２２  端子台ホルダ
２２ａ  上面部
２２ｂ  載置部
２２ｃ  水平部
２２ｄ  延出部
２２ｅ  凹部
２２ｇ  配線挿通孔
２２ｈ  左側板
２２ｊ  右側板
２２ｋ  左側フランジ
２２ｍ  端子台接合片
２３  第一メイン基板
２４  第二メイン基板
２５  側面板
２５ａ  下端フランジ
２６  シャーシーホルダ
２７  端子台
３４  ステー
３５  外部配線
３５ａ  配線群
【図１】
0005780066.tif 000002
【図２】
0005780066.tif 000003
【図３】
0005780066.tif 000004
【図４】
0005780066.tif 000005
【図５】
0005780066.tif 000006
【図６】
0005780066.tif 000007
【図７】
0005780066.tif 000008
【図８】
0005780066.tif 000009
【図９】
0005780066.tif 000010
【図１０】
0005780066.tif 000011